(57)【特許請求の範囲】
【請求項１】
火災検知回路が、電源回路からの定電圧の供給を受けて火災の発生を監視し、火災の発生を検知したときには所定の火災信号を出力する構成とし、
上記電源回路は、
火災受信器からの電源供給が行われる信号線を接続する２つの端子と、
上記火災検知回路を接続し、この火災検知回路からの火災信号が入力される第１〜３の火災信号端子と、
確認灯を接続するための第１〜４の確認灯端子と、
上記２つの端子の極性を無極性化するダイオードブリッジと、
上記信号線からの電源を所定の定電圧に変換して出力する定電圧回路と、
上記火災検知回路を接続し、この火災検知回路に上記定電圧回路からの定電圧を出力する定電圧出力端子と、
上記第１〜４の確認灯端子のうち、この火災感知器をＰ型火災受信機に接続する場合に確認灯を接続すべき第１、第２の確認灯端子に上記確認灯を接続した状態で、上記複数の火災信号端子のうち、この火災感知器を上記Ｐ型火災受信機に接続する場合に上記火災検知回路を接続するための第１の火災信号端子に火災信号の入力があったときには、上記第１，２の確認灯端子の端子間電圧を低下させ、この電圧低下を火災信号とするとともに、上記確認灯を点灯させる第１のスイッチング回路と、
上記火災受信器からの監視／制御信号を上記信号線を介して受信する受信回路と、
上記火災受信器に対して、上記信号線を介して返信信号を返信する返信回路と、これらの返信回路と受信回路に上記火災検知回路を接続する端子と、
上記第１〜４の確認灯端子のうち、この火災感知器をＲ型火災受信機に接続する場合に確認灯を接続すべき第３、第４の確認灯端子に上記確認灯を接続した状態で、上記複数の火災信号端子のうち、この火災感知器を上記Ｒ型火災受信機に接続する場合に上記火災検知回路を接続すべき第３の火災信号端子に火災信号の入力があったときには、上記定電圧出力端子における定電圧出力を保持しつつ、上記第３，４の確認灯端子の端子間電圧を低下させ、この電圧低下を火災信号とするとともに、上記確認灯を点灯させる第３のスイッチング回路とを備える火災感知器。
【請求項２】
請求項１において、
上記第１〜４の確認灯端子のうち、この火災感知器をＰ型火災受信機に接続する場合に確認灯を接続すべき第３、第４の確認灯端子に上記確認灯を接続した状態で、上記複数の火災信号端子のうち、この火災感知器を上記Ｐ型火災受信機に接続する場合に上記火災検知回路を接続すべき第２の火災信号端子に火災信号の入力があったときには、上記定電圧出力端子における定電圧出力を保持しつつ、上記第３，４の確認灯端子の端子間電圧を低下させ、この電圧低下を火災信号とするとともに、上記確認灯を点灯させる第２のスイッチング回路とを備える火災感知器。
【請求項３】
請求項２において、
上記電源回路は、この火災感知器をＰ型火災受信機に接続する場合に確認灯を接続すべき上記第３、第４の確認灯端子に上記確認灯を接続した状態で、上記第２の火災信号端子に火災信号の入力があったときには、上記火災検知回路に供給される電源の電流値を増加させるため、上記定電圧回路に供給される電源の電流値を増加させる第４のスイッチング回路を更に備える火災感知器。
【発明の詳細な説明】
【０００１】
【発明の属する技術分野】
本発明は、火災検知回路が、電源回路からの定電圧の供給を受けて火災の発生を監視し、火災の発生を検知したときには所定の火災信号を出力する火災感知器の改良に関する。
【０００２】
【従来の技術】
近時、火災の発生を検知するために火災感知器が使用されており、接続される火災受信機の種別に応じて、図３に示すような各種の火災感知器が用意されている。
【０００３】
火災受信機には、複数の感知器回線を並列に導出して、これらの感知器回線毎に火災感知器を接続し、火災感知器からの火災信号を受けて所定の火災警報を出力するＰ型受信機と、共通の多重伝送線にすべての火災感知器を接続し、これらの火災感知器とポーリングをすることで火災感知器を監視し、ある火災感知器より割り込みで火災信号を受けて、所定の火災警報を出力するＲ型受信機とがあり、まず、Ｐ型受信機に対応する火災感知器を図３、４に示す。
【０００４】
図３に示す火災感知器１００Ａは、一般住宅以外の建物、例えば、集合住宅やビルに適用されるものであり、このものは、火災の発生を検知する検知回路１１０Ａと、この検知回路１１０Ａに定電圧を供給する電源回路１１１Ａとを備えている。電源回路１１１Ａは、端子Ｌ、Ｃを通じて、火災受信機より電源（例えば２４Ｖの電源）の供給を受けており、火災受信機より供給された電源を、トランジスタＴＲ１、抵抗器Ｒ１、ツェナーダイオードＺＤ１で構成される定電圧回路１１３で所定の定電圧（例えば５Ｖ）に変換し、この定電圧をＶＤＤとして検知回路１１０Ａに供給している。検知回路１１０Ａは定電圧ＶＤＤを受けて、火災の発生を監視しており、火災の発生を検知すると、Ｈレベルの電圧を火災信号として、サイリスタＳＣＲ、抵抗器Ｒ２、コンデンサＣで構成されるスイッチング回路１１２に出力し、これを受けたサイリスタＳＣＲが動作して、確認灯ＬＥＤに、火災受信機からの電源ＶＬを印可して点灯させる。このとき、確認灯ＬＥＤに電流が流れるため、電源ＶＬの電圧値が低下し、この電圧値の低下を火災受信機が火災信号と判断する。なお、図中、ＤＢは端子Ｌ、Ｃの極性を無極性化するダイオードブリッジである。
【０００５】
図４に示す火災感知器１００Ｂは、一般住宅に適用されるものであり、このものは、火災の発生を検知する検知回路１１０Ｂと、この検知回路１１０Ｂに定電圧を供給する電源回路１１１Ｂとを備えている。電源回路１１１Ｂは、先述したスイッチング回路１１２に代わって、ツェナーダイオードＺＤ２、トランジスタＴＲ２、抵抗器Ｒ３，Ｒ４で構成されるスイッチング回路１１４を備えており、このスイッチング回路１１４と並列に確認灯ＬＥＤが接続された構成となっている。検知回路１１０Ｂは、先述したように、定電圧ＶＤＤを受けて、火災の発生を監視しており、火災の発生を検知すると、Ｈレベルの電圧を火災信号として、スイッチング回路１１４に出力し、これを受けたトランジスタＴＲ２が動作して、確認灯ＬＥＤに、火災受信機からの電源ＶＬを印可して点灯させる。このとき、ツェナーダイオードＺＤ２に電流が流れるため、電源ＶＬの電圧値が低下し、この電圧値の低下を火災受信機が火災信号と判断する。なお、スイッチング回路１１４には、ツェナーダイオードＺＤ２があるので、火災受信機からの電源ＶＬの電圧値は一定値（例えば６Ｖ）に保持され、検知回路１１０Ｂが火災信号を出力中でも、定電圧ＶＤＤが検知回路１１０Ｂに供給されており、検知回路１１０Ｂが火災を検知しなくなったときには、自動復旧することができる。
【０００６】
次に、Ｒ型受信機に対応する火災感知器を図５に示す。このものは、火災の発生を検知する検知回路１１０Ｃと、この検知回路１１０Ｃに定電圧を供給する電源回路１１１Ｃとを備えている。電源回路１１１Ｃは、火災受信器からの監視／制御信号を受信する受信回路１１６と、火災受信器に対して返信信号を返信する返信回路１１７とを更に備えるとともに、先述したスイッチング回路１１２、１１３に代わって、トランジスタＴＲ２、抵抗器Ｒ２，Ｒ３，Ｒ４で構成されるスイッチング回路１１５を備え、トランジスタＴＲ２と抵抗器Ｒ２との間に、確認灯ＬＥＤが接続された構成となっている。
【０００７】
検知回路１１０Ｃは、先述したように、定電圧ＶＤＤを受けて、火災の発生を監視しており、火災の発生を検知すると、Ｈレベルの電圧を火災信号として、端子ＦＩＲＥ１よりスイッチング回路１１５に出力し、これを受けたトランジスタＴＲ２が動作して、確認灯ＬＥＤに、火災受信機からの電源ＶＬを印可して点灯させる。
【０００８】
また、検知回路１１０Ｃは、火災の発生を検知すると、端子ＦＩＲＥ１よりＨレベルの電圧を出力すると同時に、端子ＦＩＲＥ２より、火災検知した旨を通知する所定の伝送信号を、返信回路１１７を通じて返信する。
【０００９】
なお、スイッチング回路１１５には、抵抗器Ｒ２があるので、トランジスタＴＲ２のコレクタ電流が小さい値（例えば２ｍＡ）に制限されて、火災受信機からの電源ＶＬの電圧値はある値以上（例えば２０Ｖ）に保持され、検知回路１１０Ｃが火災信号を出力中でも、定電圧ＶＤＤが検知回路１１０Ｂに供給されており、火災受信機からの制御信号に基づいて自動復旧したり、そのままの状態を維持することができる。
【００１０】
【発明が解決しようとする課題】
ところで、上記した従来の火災感知器では、火災感知器の種別毎に異なる電源回路が必要となるため、電源回路を火災感知器の種別毎に製造しなければならず、製造ラインの統一を図ることができず、それが原因となり、製造コストの増加を招いていた。
【００１１】
本発明は、上記事情を考慮してなされたものであり、電源回路を、火災感知器の全種別に対応させて、火災感知器の製造ラインの統一を図り、製造コストを削減することのできる火災感知器を提供することを目的としている。
【００１２】
【課題を解決するための手段】
上記目的を達成するために請求項１では、火災検知回路が、電源回路からの定電圧の供給を受けて火災の発生を監視し、火災の発生を検知したときには所定の火災信号を出力する構成とし、電源回路は、火災受信器からの電源供給が行われる信号線を接続する２つの端子と、火災検知回路を接続し、この火災検知回路からの火災信号が入力される第１〜３の火災信号端子と、確認灯を接続するための第１〜４の確認灯端子と、２つの端子の極性を無極性化するダイオードブリッジと、信号線からの電源を所定の定電圧に変換して出力する定電圧回路と、火災検知回路を接続し、この火災検知回路に定電圧回路からの定電圧を出力する定電圧出力端子と、第１〜４の確認灯端子のうち、この火災感知器をＰ型火災受信機に接続する場合に確認灯を接続すべき第１、第２の確認灯端子に確認灯を接続した状態で、複数の火災信号端子のうち、この火災感知器をＰ型火災受信機に接続する場合に火災検知回路を接続するための第１の火災信号端子に火災信号の入力があったときには、第１，２の確認灯端子の端子間電圧を低下させ、この電圧低下を火災信号とするとともに、確認灯を点灯させる第１のスイッチング回路と、火災受信器からの監視／制御信号を上記信号線を介して受信する受信回路と、火災受信器に対して、信号線を介して返信信号を返信する返信回路と、これらの返信回路と受信回路に上記火災検知回路を接続する端子と、第１〜４の確認灯端子のうち、この火災感知器をＲ型火災受信機に接続する場合に確認灯を接続すべき第３、第４の確認灯端子に上記確認灯を接続した状態で、複数の火災信号端子のうち、この火災感知器をＲ型火災受信機に接続する場合に火災検知回路を接続すべき第３の火災信号端子に火災信号の入力があったときには、定電圧出力端子における定電圧出力を保持しつつ、第３，４の確認灯端子の端子間電圧を低下させ、この電圧低下を火災信号とするとともに、確認灯を点灯させる第３のスイッチング回路とを備える。
【００１３】
請求項２では、第１〜４の確認灯端子のうち、この火災感知器をＰ型火災受信機に接続する場合に確認灯を接続すべき第３、第４の確認灯端子に上記確認灯を接続した状態で、複数の火災信号端子のうち、この火災感知器をＰ型火災受信機に接続する場合に火災検知回路を接続すべき第２の火災信号端子に火災信号の入力があったときには、定電圧出力端子における定電圧出力を保持しつつ、第３，４の確認灯端子の端子間電圧を低下させ、この電圧低下を火災信号とするとともに、確認灯を点灯させる第２のスイッチング回路とを備える。
請求項３では、電源回路は、この火災感知器をＰ型火災受信機に接続する場合に確認灯を接続すべき第３、第４の確認灯端子に確認灯を接続した状態で、第２の火災信号端子に火災信号の入力があったときには、火災検知回路に供給される電源の電流値を増加させるため、定電圧回路に供給される電源の電流値を増加させる第４のスイッチング回路を更に備える。
【００１５】
【発明の実施の形態】
以下に、本発明の実施の形態について、図面とともに説明する。図１は、本発明の火災感知器の要部構成の一例を示す図である。
【００１６】
この火災感知器１の電源回路１１は、火災受信器からの電源供給が行われる信号線を接続する２つの端子Ｌ、Ｃと、検知回路１０Ａ〜１０Ｃを接続し、この検知回路１０Ａ〜１０Ｃからの火災信号が入力される複数の火災信号端子ＦＩＲＥ１〜ＦＩＲＥ３と、確認灯ＬＥＤを接続する複数の確認灯端子Ｌ１〜Ｌ４と、端子Ｌ，Ｃの極性を無極性化するダイオードブリッジＤＢと、信号線からの電源を所定の定電圧ＶＤＤに変換して出力する定電圧回路１３と、検知回路１０Ａ〜１０Ｃを接続し、この検知回路１０Ａ〜１０Ｃに定電圧回路１３からの定電圧ＶＤＤを出力する定電圧出力端子Ｖと、サイリスタＳＣＲ、抵抗器Ｒ６、コンデンサＣで構成される第１のスイッチング回路１２と、ツェナーダイオードＺＤ１、トランジスタＴＲ２、抵抗器Ｒ２，Ｒ３で構成されるスイッチング回路１４と、トランジスタＴＲ３、抵抗器Ｒ５、ダイオードＤ１，Ｄ２で構成される第３のスイッチング回路１５と、火災受信器からの監視／制御信号を受信する受信回路１６と、火災受信器に対して返信信号を返信する返信回路１７とを備える。なお、図中、ＳＩＧは検知回路１０Ｂから返信回路１７に返信信号を出力するための返信信号端子、ＲＥＴは受信回路１６からの監視／制御信号を検知回路に出力するための監視／制御信号端子をそれぞれ示している。
【００１７】
このような火災感知器１を、Ｐ型受信機に対応し、一般住宅以外の建物、例えば、集合住宅やビルに適用できるようにするには、検知回路１０Ｃを、定電圧出力端子Ｖと火災信号端子ＦＩＲＥ１に接続するとともに、確認灯ＬＥＤを、確認灯端子Ｌ１，Ｌ２に接続する。このような状態で、検知回路１０Ｃより火災信号端子ＦＩＲＥ１に火災信号の入力があったときには、Ｈレベルの電圧がサイリスタＳＣＲに入力されるので、これを受けたサイリスタＳＣＲが動作して、確認灯ＬＥＤに、火災受信機からの電源ＶＬを印可して点灯させる。このとき、確認灯ＬＥＤに電流が流れるため、電源ＶＬの電圧値が低下し、この電圧値の低下を火災受信機が火災信号と判断する。
【００１８】
また、火災感知器１を、Ｐ型受信機に対応し、一般住宅に適用できるようにするには、検知回路１０Ａを、定電圧出力端子Ｖと火災信号端子ＦＩＲＥ２に接続するとともに、確認灯ＬＥＤを、確認灯端子Ｌ３，Ｌ４に接続する。このような状態で、検知回路１０Ａより火災信号端子ＦＩＲＥ２に火災信号の入力があったときには、Ｈレベルの電圧がトランジスタＴＲ３に入力されるので、トランジスタＴＲ３が動作して、確認灯ＬＥＤに、火災受信機からの電源ＶＬを印可して点灯させる。同時にトランジスタＴＲ２が動作することにより、ツェナーダイオードＺＤ１に電流が流れるため、電源ＶＬの電圧値が低下し、この電圧値の低下を火災受信機が火災信号と判断する。なお、スイッチング回路１４には、ツェナーダイオードＺＤ１があるので、火災受信機からの電源ＶＬの電圧値は一定値（例えば６Ｖ）に保持され、検知回路１０Ａが火災信号を出力中でも、定電圧ＶＤＤが検知回路１０Ａに供給されており、検知回路１０Ａが火災を検知しなくなったときには、自動復旧することができる。
【００１９】
また、火災感知器１を、Ｒ型受信機に対応するようにするには、検知回路１０Ｂを、定電圧出力端子Ｖ、火災信号端子ＦＩＲＥ３、返信信号端子ＳＩＧ、監視／制御信号端子ＲＥＴに接続するとともに、確認灯ＬＥＤを、確認灯端子Ｌ３，Ｌ４に接続する。このような状態で、検知回路１０Ｂより火災信号端子ＦＩＲＥ３に火災信号の入力があると、Ｈレベルの電圧がトランジスタＴＲ３に入力されるので、トランジスタＴＲ３が動作して、確認灯ＬＥＤに、火災受信機からの電源ＶＬを印可して点灯させる。また、検知回路１０Ｂは、火災の発生を検知すると、返信信号端子ＳＩＧより、火災検知した旨を通知する所定の伝送信号を、返信回路１７を通じて返信する。
【００２０】
なお、スイッチング回路１５には、抵抗器Ｒ４があるので、トランジスタＴＲ３のコレクタ電流が小さい値（例えば２ｍＡ）に制限されて、火災受信機からの電源ＶＬの電圧値はある値以上（例えば２０Ｖ）に保持され、検知回路１０Ｂが火災信号を出力中でも、定電圧ＶＤＤが検知回路１０Ｂに供給されており、火災受信機からの制御信号に基づいて自動復旧したり、そのままの状態を維持することができる。
【００２１】
ここで、火災感知器１をＰ型受信機対応感知器（非住宅用）として用いた場合、１回線あたりの接続個数が多いため、感知器１の消費電力を極めて小さくする必要があり、そのため、定電圧回路１３の抵抗器Ｒ１は、その抵抗値を極めて大きな値（例えば２ＭΩ程度）にしているが、このような火災感知器１を、Ｐ型受信機対応感知器（住宅用）として用いた際には、火災発報時のＶＬ値は通常低い値（例えば６Ｖ程度）となるため、ツェナーダイオードＺＤ２への電流供給がほとんどなされずに、ＶＤＤ値が極端に低下して、検知回路１０Ａが正常に動作できなくなる恐れがある。
【００２２】
そのため、図２に示す火災感知機１Ａでは、電源回路１１Ａは、電源ＶＬと定電圧回路１３との間に、トランジスタＴＲ４，ＴＲ５、抵抗器Ｒ７〜Ｒ１１で構成されるスイッチング回路１８を備えており、確認灯ＬＥＤを、確認灯端子Ｌ３，Ｌ４に接続した状態で、火災信号端子ＦＩＲＥ２に火災信号の入力があったときには、トランジスタＴＲ４，ＴＲ５が動作することによって、抵抗器Ｒ７を通じてツェナーダイオードＺＤ２に電流を供給することによって、定電圧回路１３に供給される電源ＶＬの電流値を増加させるようにしている。
【００２３】
【発明の効果】
以上の説明からも理解できるように、本発明の請求項１に記載の火災感知器では、電源回路は、複数の確認灯端子のうち、第１、第２の確認灯端子に確認灯を接続した状態で、複数の火災信号端子のうち、第１の火災信号端子に火災信号の入力があったときには、２つの端子間電圧を低下させるとともに、確認灯を点灯させる第１のスイッチング回路を備えるので、この火災感知器を、Ｐ型受信機に対応し、一般住宅以外の建物、例えば、集合住宅やビルに適用するものとして構成することができる。
また、電源回路は、複数の火災信号端子のうち、第３の火災信号端子に火災信号の入力があったときには、定電圧出力端子における定電圧出力を保持しつつ、２つの端子間電圧を低下させるとともに、確認灯を点灯させる第３のスイッチング回路を備えるので、この火災感知器を、Ｒ型受信機に対応するものとして構成することができる。
【００２４】
請求項２に記載の火災感知器では、電源回路は、複数の確認灯端子のうち、第３、第４の確認灯端子に確認灯を接続した状態で、複数の火災信号端子のうち、第２の火災信号端子に火災信号の入力があったときには、定電圧出力端子における定電圧出力を保持しつつ、２つの端子間電圧を低下させるとともに、確認灯を点灯させる第２のスイッチング回路を備えるので、この火災感知器を、Ｐ型受信機に対応し、一般住宅に適用するものとして構成することができる。
【００２５】
請求項３に記載の火災感知器では、電源回路は、複数の確認灯端子のうち、第３、第４の確認灯端子に確認灯を接続した状態で、複数の火災信号端子のうち、第２の火災信号端子に火災信号の入力があったときには、定電圧回路に供給される電源の電流値を増加させる第４のスイッチング回路を備えるので、火災検知回路への定電圧の供給が安定し、火災検知回路の安定した動作が保証される。
【００２６】
以上の請求項１〜請求項３の発揮する効果によって、本発明の火災感知器は、、電源回路を、火災感知器の全種別に対応させることができ、その製造ラインの統一を図り、製造コストを削減することができる。
【図面の簡単な説明】
【図１】本発明の火災感知器の要部構成の一例を示す図である。
【図２】本発明の火災感知器の要部構成の他例を示す図である。
【図３】従来の火災感知器を示す図である（Ｐ型受信機対応感知器（非住宅用））
【図４】従来の火災感知器を示す図である（Ｐ型受信機対応感知器（住宅用））
【図５】従来の火災感知器を示す図である（Ｒ型受信機対応感知器）
【符号の説明】
１，１Ａ・・・火災感知器
１０Ａ〜１０Ｃ・・・火災検知回路
１１，１１Ａ・・・電源回路
１２，１４，１５，１８・・・スイッチング回路
１３・・・定電圧回路
１６・・・受信回路
１７・・・返信回路
ＬＥＤ・・・確認灯
Ｌ，Ｃ・・・信号線端子
ＦＩＲＥ１〜ＦＩＲＥ３・・・火災信号端子
Ｌ１〜Ｌ４・・・確認灯端子
ＤＢ・・・ダイオードブリッジ
Ｖ・・・定電圧出力端子
ＳＩＧ・・・返信信号端子
ＲＥＴ・・・監視／制御信号端子
【図１】
0003608040.tif 000002
【図２】
0003608040.tif 000003
【図３】
0003608040.tif 000004
【図４】
0003608040.tif 000005
【図５】
0003608040.tif 000006